(57)【特許請求の範囲】
【請求項１】
複数の操作部材と、
撮影設定の設定値を表示する表示手段と、
前記操作部材への操作に応じて、該操作部材に割り当てられた撮影設定の設定値を変更する変更手段と、
操作部材に対する操作を無効とするためのロック状態に設定するロック状態設定手段と、
前記複数の操作部材のうち、前記ロック状態設定手段により前記ロック状態に設定された場合に操作を無効とする操作部材を設定する対象設定手段と、
前記ロック状態設定手段により前記ロック状態に設定された場合に、前記対象設定手段により操作を無効とすると設定された操作部材が操作されたことに応じて、前記表示手段中の該操作された操作部材に割り当てられた撮影設定の設定値が表示されていた表示領域に、前記撮影設定の設定値を表示せずに該操作が無効である旨の警告を表示するように制御する表示制御手段と
を有することを特徴とする撮像装置。
【請求項２】
前記表示制御手段は、前記警告を前記操作を無効と設定されている操作部材が操作されてから一定の時間だけ表示することを特徴とする請求項１に記載の撮影装置。
【請求項３】
前記表示制御手段が前記警告を表示する表示領域は、前記撮像装置の動作モードに応じて操作部材に割り当てられた撮影設定の設定値を表示している表示領域であることを特徴とする請求項１または２に記載の撮像装置。
【請求項４】
前記対象設定手段は、初期設定として、前記ロック状態に設定するための操作部材に最も近い位置に配置された操作部材のみを操作を無効とすると設定することを特徴とする請求項１乃至３のいずれか１項に記載の撮像装置。
【請求項５】
複数の操作部材と、撮影設定の設定値を表示する表示手段とを有する撮像装置の制御方法であって、
前記操作部材への操作に応じて、該操作部材に割り当てられた撮影設定の設定値を変更する変更ステップと、
操作部材に対する操作を無効とするためのロック状態に設定するロック状態設定ステップと、
前記複数の操作部材のうち、前記ロック状態に設定された場合に操作を無効とする操作部材を設定する対象設定ステップと、
前記ロック状態に設定されている場合に、前記操作を無効とすると設定された操作部材が操作されたことに応じて、前記表示手段中の該操作された操作部材に割り当てられた撮影設定の設定値が表示されていた表示領域に、該操作が無効である旨の警告を表示するように制御する表示制御ステップと
を有することを特徴とする撮像装置の制御方法。
【請求項６】
請求項５に記載された撮像装置の制御方法をコンピュータに実行させるためのプログラム。
【請求項７】
請求項５に記載された撮像装置の制御方法をコンピュータに実行させるためのプログラムを格納したコンピュータが読み取り可能な記憶媒体。
【発明の詳細な説明】
【技術分野】
【０００１】
本発明は、操作部材の有効、無効の設定が行える撮像装置、撮像装置の制御方法、プログラム、記録媒体に関する。
【背景技術】
【０００２】
従来から、操作部材が使用者の意図しない時に誤操作されない様に操作禁止（ロック）を求められる事がある。これに対し、各操作部材に近接して操作を無効にするスイッチを個々に設ける事例が存在する。（特許文献１）これは直感的で良いが、操作部材の数が増えると個々にスイッチとそのスペースを必要とするなど、コスト的に負担が大きい。
【０００３】
これに対し、操作部材それぞれに無効とするスイッチは無いが、操作無効をソフト的に設定する方法があり、スイッチ等の追加無く安価に実現可能となる。（特許文献２）
前記特許文献２では、指定した操作部材の単独操作の有効／無効を設定可能とし、無効とした場合に、その操作部材に対する機能の表示に隣接して無効であることを表示するとしている。
【先行技術文献】
【特許文献】
【０００４】
【特許文献１】特開平２−２１０４２４号公報
【特許文献２】特開平８−２２０５８２号公報
【発明の概要】
【発明が解決しようとする課題】
【０００５】
特許文献２では、『設定変更が不可能なときロック表示セグメント（Ｌ）が表示される』とし、設定変更が不可能なカメラ状態の時に、その操作部材に対する機能の表示に隣接して常に『Ｌ』が表示される。この場合、設定操作の有無に関わらず常に『Ｌ』が表示されたままとなるので、自分自身で操作無効に設定していない、あるいは『Ｌ』の意味も知らない使用者には気が付かれない事も想定される。
そこで本発明の目的は、いかなる使用者であっても、無効に設定されている操作部材を操作した場合、直ぐに今は操作が無効中であると直感的に認識できるようにする事である。
【課題を解決するための手段】
【０００６】
上記課題を解決するために、本発明の撮像装置は、
複数の操作部材と、撮影設定の設定値を表示する表示手段と、
操作部材への操作に応じて、該操作部材に割り当てられた撮影設定の設定値を変更する変更手段と、操作部材に対する操作を無効とするためのロック状態に設定するロック状態設定手段と、複数の操作部材のうち、ロック状態設定手段によりロック状態に設定された場合に操作を無効とする操作部材を設定する対象設定手段とロック状態設定手段によりロック状態に設定された場合に、対象設定手段により操作を無効とすると設定された操作部材が操作されたことに応じて、表示手段中の該操作された操作部材に割り当てられた撮影設定の設定値が表示されていた表示領域に、撮影設定の設定値を表示せずに該操作が無効である旨の警告を表示するように制御する表示制御手段とを有することを特徴とする。
【発明の効果】
【０００７】
本発明によれば、使用者に対する操作無効の表示が明確になり、いかなる使用者にとっても分かりやすい警告が可能になる。
【図面の簡単な説明】
【０００８】
【図１】一眼レフデジタルカメラの構成を示すブロック図
【図２】一眼レフデジタルカメラの操作部材の説明図
【図３】操作部材の有効／無効を設定する設定画面の説明図
【図４】操作部材の操作が無効である時の表示の第一の説明図
【図５】操作部材の操作が無効である時の表示フローの第一の説明図
【図６】操作部材の操作が無効である時の表示の第二の説明図
【図７】操作部材の操作が無効である時の表示フローの第二の説明図
【発明を実施するための形態】
【０００９】
以下に、本発明の好ましい実施の形態を、添付の図面に基づいて詳細に説明する。
【００１０】
（実施例１）
以下、図を参照して、本発明の第１の実施例によるデジタルカメラについて説明する。
【００１１】
図１は本発明の実施形態に関わる一眼レフデジタルカメラ１００の構成を示すブロック図である。図１において、１０１は撮影レンズである。１０２はＡＦ（オートフォーカス）駆動部である。ＡＦ駆動部１０２は、例えばＤＣモータやステッピングモータによって構成され、マイクロコンピュータ１２３の制御によって撮影レンズ１０１のフォーカスレンズ位置を変化させることによりピントを合わせる。１０３は撮影レンズ光学系のズーム駆動部である。ズーム駆動部１０３は、例えばＤＣモータやステッピングモータによって構成され、マイクロコンピュータ１２３の制御によって撮影レンズ１０１の変倍レンズ位置を変化させることにより撮影レンズ１０１の焦点距離を変化させる。１０４は絞りで、複数枚の絞り羽根で構成される。１０５は絞り駆動部である。絞り駆動部１０５は、絞り１０４を駆動する。駆動されるべき量はマイクロコンピュータ１２３によって算出され、光学的な絞り値を変化させる。
【００１２】
１０６は撮影レンズ１０１から入射した光束をファインダ側と撮像素子側とに切替えるための主ミラーである。主ミラー１０６は常時はファインダ部へと光束を導くよう反射させるように配されているが、撮影が行われる場合には、撮像素子１１２へと光束を導くように上方に跳ね上がり光束中から待避する。また主ミラー１０６はその中央部が光の一部を透過できるようにハーフミラーとなっており、光束の一部を焦点検出用のセンサに入射するように透過させる。なお、動画撮影の場合は、撮影（記録）開始前から常に撮像素子１１２へ光束を導くように上方に跳ね上がったまま維持される。
【００１３】
１０７は主ミラー１０６から透過してきた光束を反射させ焦点検出を行うためのセンサ（焦点検出回路１０９内に配置されている）に導くためのサブミラーである。
【００１４】
１０８はファインダを構成するペンタプリズムである。ファインダは他にピント板、アイピースレンズ（不図示）などによって構成させる。
【００１５】
１０９は焦点検出回路である。ミラー１０６の中央部を透過し、サブミラー１０７で反射された光束は、焦点検出回路１０９の内部に配置された光電変換を行うためのセンサに至る。フォーカス演算に用いるデフォーカス量は、センサの出力を演算することによって求められる。マイクロコンピュータ１２３は演算結果を評価してＡＦ駆動部１０２に指示し、フォーカスレンズを駆動させる。
【００１６】
１１０はフォーカルプレーンシャッターである。１１１はシャッター駆動回路であり、フォーカルプレーンシャッター１１０を駆動する。静止画撮影に対するシャッターの開口時間は、マイクロコンピュータ１２３によって制御される。動画撮影の場合は、前記主ミラー１０６が上方に跳ね上がると共に全開状態が維持される。
【００１７】
１１２は撮像素子である。撮像素子１１２には、ＣＣＤやＣＭＯＳセンサなどが用いられ、撮影レンズ１０１によって結像された被写体像を電気信号に変換する。１１３はクランプ回路である。１１４はＡＧＣ回路である。クランプ回路１１３やＡＧＣ回路１１４は、Ａ／Ｄ変換をする前の基本的なアナログ信号処理を行い、後述する映像信号処理回路１１６を通じてマイクロコンピュータ１２３により、クランプレベルやＡＧＣ基準レベルの変更が行われる。１１５はＡ／Ｄ変換器である。Ａ／Ｄ変換器１１５は撮像素子１１２のアナログ出力信号をデジタル信号に変換する。
【００１８】
１１６は映像信号処理回路であり、ゲートアレイなどのロジックデバイスにより実現される。詳細は後述する。１１７は液晶パネル駆動回路である。１１８は液晶パネルによる外部液晶モニタで、撮影画像のプレビューや再生、あるいは動画撮影中のビューファインダ表示、またカメラの設定状態表示などを表示する。１１９はメモリコントローラである。１２０はメモリである。１２１はコンピュータ等と接続可能な外部インターフェイスである。１２２はバッファメモリである。
【００１９】
映像信号処理回路１１６は、デジタル化された画像データに、フィルター処理、色変換処理、ガンマ処理を行うと共に、ＪＰＥＧなどの圧縮処理を行い、メモリコントローラ１１９に出力する。映像信号処理回路１１６は、撮像素子１１２からの映像信号や、メモリコントローラ１１９から逆に入力される画像データを、液晶パネル駆動回路１１７を通して液晶モニタ１１８に出力することも可能である。これらの機能切り替えはマイクロコンピュータ１２３の指示により行われる。映像信号処理回路１１６は、必要に応じて撮像素子１１２の信号の露出情報やホワイトバランスなどの情報をマイクロコンピュータ１２３に出力することが可能である。それらの情報を基にマイクロコンピュータ１２３はホワイトバランスやゲイン調整の指示を行う。静止画の連続撮影動作の場合においては、一旦、未処理画像のままバッファメモリ１２２に撮影データを格納し、メモリコントローラ１１９を通して未処理の画像データを読み出し、映像信号処理回路１１６にて画像処理や圧縮処理を行い連続撮影を行う。連像撮影枚数は、バッファメモリの大きさに左右される。
【００２０】
メモリコントローラ１１９では、映像信号処理回路１１６から入力された未処理のデジタル画像データをバッファメモリに格納し、処理済みのデジタル画像データをメモリ１２０に格納する。また、逆にバッファメモリ１２２やメモリ１２０から画像データを映像信号処理回路部１１６に出力する。メモリ１２０は取り外し可能である場合もある。メモリコントローラ１１９は、コンピュータ等と接続可能な外部インターフェイス１２１を介してメモリ１２０に記憶されている画像を出力可能である。
【００２１】
１２３はマイクロコンピュータである。１２４は操作部材である。操作部材１２４は、マイクロコンピュータ１２３にその状態を伝え、マイクロコンピュータ１２３はその操作部材の変化に応じて各部をコントロールする。
【００２２】
１２５はスイッチ１（以後ＳＷ１）である。１２６はスイッチ２（以後ＳＷ２）である。スイッチＳＷ１とスイッチＳＷ２は、レリーズボタンの操作でオンオフするスイッチであり、それぞれ操作部材１２４の入力スイッチのうちの１つである。スイッチＳＷ１のみオンの状態はレリーズボタン半押し状態であり、この状態でオートフォーカス動作や測光動作を行う。スイッチＳＷ１，ＳＷ２が共にオンの状態はレリーズボタンの全押し状態であり、画像を記録するためのレリーズボタンオン状態である。この状態で撮影が行われる。またスイッチＳＷ１、ＳＷ２がＯＮし続けている間は、静止画の連続撮影動作が行われる。操作部材１２４には他にＩＳＯ設定ボタン、画像サイズ設定ボタンなど不図示のボタンや、後述する操作部材の有効／無効切り換えスイッチ、各ダイヤルなどが接続されており、それぞれのボタン、スイッチおよびダイヤルの状態が検出されている。
【００２３】
１２７は液晶駆動回路である。１２８は外部液晶表示部材である。１２９はファインダ内液晶表示部材である。液晶駆動回路１２７は、マイクロコンピュータ１２３の表示内容命令に従って、外部液晶表示部材１２８やファインダ内液晶表示部材１２９を駆動する。また、ファインダ内液晶表示部材１２９には、不図示のＬＥＤなどのバックライトが配置されており、そのＬＥＤも液晶駆動回路１２７で駆動される。マイクロコンピュータ１２３は撮影前に設定されているＩＳＯ感度、画像サイズ、画質に応じた、画像サイズの予測値データをもとに、メモリコントローラ１１９を通して、メモリの容量を確認した上で撮影可能残数を演算することができる。必要に応じて外部液晶表示部材１２８、ファインダ内液晶表示部材１２９にも表示することができる。
【００２４】
１３０は不揮発性メモリ（ＥＥＰＲＯＭ）で、カメラに電源が入れられていない状態でも、データを保存することができる。
【００２５】
１３１は電源部である。電源部１３１は、各ＩＣや駆動系に必要な電源を供給する。
【００２６】
図２は本発明の実施形態にかかわる一眼レフデジタルカメラの操作部材の説明図である。
【００２７】
図２（ａ）において、２０１はメインダイヤルである。メインダイヤル２０１は主たる設定操作部材として位置づけられており、例えば、露出設定がシャッター優先モード（Ｔｖ優先）の場合、シャッター秒時、即ちフォーカルプレーンシャッター１１０による露光時間の設定を行う操作部材である。同様に、露出設定が絞り優先モード（Ａｖ優先）の場合は撮影光学系の絞り１０４の開口を設定する操作部材となる。このように、特に一眼レフカメラは同じ操作部材であっても、カメラの動作状態（モード）により異なる機能を担うという特徴がある。尚、２０８は上記露出設定モードを選択するモードダイヤルである。また、図１に記載の外部液晶表示部材１２８は、カメラの外観上は図２（ａ）の位置に設けられる。
【００２８】
図２（ｂ）の２０２はマルチコントローラー（ＭＣ）で、各動作状況に応じて、様々な機能を担う操作部材で、文字通りマルチな操作部材である。
【００２９】
一方、２０３はサブダイヤルで、２０１のメインダイヤルと補完的に操作される位置付けである。例えば、自動の露出設定モード時、つまり前記シャッター優先モードや絞り優先モード、あるいはシャッター秒時と撮影光学系の絞り値の両方を自動に設定するプログラムモードと言われるモードでは、使用者の好みに応じた露出補正値を設定する機能を担う。また、マニュアル（手動）露出設定モードでは、メインダイヤル２０１がシャッター秒時の設定を、サブダイヤル２０３が撮影光学系の絞り値を設定する機能となる。
【００３０】
２０４はカメラ本体の電源オン／オフと前記メインダイヤル２０１、マルチコントローラー２０２およびサブダイヤル２０３をロック状態とするか否かを切り換えるメインスイッチである（ロック状態設定のための操作部材）。
【００３１】
図２（ｃ）は前記サブダイヤル２０３とメインスイッチ２０４部分の詳細図で、図の様にメインスイッチ２０４は２０５から２０７までの３つの位置で切り換えられる。「ＯＦＦ」位置２０５はカメラ本体の電源がオフとなる位置である。「ＯＮ／ＬＯＣＫ」位置２０６はカメラ本体の電源がオンし、かつロック状態になり、３つの操作部材（２０１、２０２、２０３）のうちロック状態で操作無効とする対象として設定された操作部材は操作無効となる位置である。「ＯＮ」位置２０７はカメラ本体の電源がオンし、かつロック状態ではなく、３つの操作部材（２０１、２０２、２０３）の操作が常に有効となる位置である。ロック状態で操作無効とする対象を設定する方法は図３を用いて後述する。尚、図１に記載の外部液晶モニタ１１８は、カメラの外観上は図２（ｂ）の位置に設けられる。
【００３２】
図３は前記メインスイッチ２０４を「ＯＮ／ＬＯＣＫ」位置２０６にしてロック状態とした際に、前記メインダイヤル２０１、マルチコントローラー２０２およびサブダイヤル２０３の操作を有効とするか無効とするかを設定するためのＵＩ画面の例である。すなわち、複数の操作部材のそれぞれについて、ロック状態において操作無効とする対象とするか否かを設定する画面である（無効対象設定）。この設定画面は、外部液晶モニタ１１８に表示される。
【００３３】
不図示のメニュー画面状態から「ロック操作選択」メニューに移行し、ダイヤルやマルチコントローラー等のフォーカス移動操作部材により設定変更させたい項目までフォーカスを移動させる。そこで任意の項目決定操作部材（例えば、マルチコントローラー２０２、あるいはサブダイヤル２０３の中央部ボタン）を押す度に選択状態、即ち「無効」／「有効」（チェックマークの有／無）が交互に選択できるという一般的な操作方法を採用している。希望の選択状態にした後、フォーカスを「ＯＫボタン」（３０１）に移動させ、前記項目決定操作部材を押す事で設定完了となり、メニューが一階層戻る。一方、フォーカスを「キャンセルボタン」（３０２）にして同様の操作を実行すれば、元の状態に戻り、メニューも一階層戻る。
【００３４】
図３（ａ）は前記サブダイヤル２０３の操作のみ無効に設定（ロック状態の際に操作無効とする対象に設定）した場合のＵＩ画面で、「サブダイヤル」の項目に対してのみチェックマークが付いている。ロック状態に設定するためのメインスイッチ２０４に最も近くに配置された操作部材がサブダイヤル２０３であるため、これをデフォルト（工場出荷時の初期設定）状態としている。これによって、使用者（購入者）が最初に手にした時には、操作部材（サブダイヤル２０３）に近接して操作無効にするスイッチ（メインスイッチ２０４）が設けられ、直感的に操作の有効／無効がわかる状態になっている。これで、メニューでの設定を理解することなく直ぐに使えるデジタルカメラが提供可能となる。全ての設定を初期化（リセット）した場合も、サブダイヤル２０３のみが無効対象に設定される。
【００３５】
図３（ｂ）は前記メインダイヤル２０１、マルチコントローラー２０２およびサブダイヤル２０３の全ての操作を無効に設定した場合のＵＩ画面である。前記（ａ）同様のＵＩ操作でチェックマークを３つ全てに付けた状態である。このように本発明によれば、複数の操作部材のうち、ロック状態で操作された際に機能を実行する（有効）か否（無効）かを、操作部材毎に設定することができる。
【００３６】
図４は前記メインスイッチ２０４が「ＯＮ／ＬＯＣＫ」位置２０６（ロック状態）における、前記外部液晶モニタ１１８での表示説明図である。本実施例では、前記３つの操作部材（２０１、２０２および２０３）のいずれかが無効対象に設定されていて、かつロック状態で実際に操作された場合に、操作されてから一定時間だけ、操作無効である旨の警告として「ＬＯＣＫ」を表示する。
【００３７】
図４（ａ）は撮影露出モードが絞り優先モード（Ａｖ）時の標準表示状態と、各表示領域の説明図である。図中、４０１はシャッター秒時の表示領域、４０２は絞り値の表示領域、４０３は露出モードの表示領域、４０４は露出補正値の表示領域、４０５はＩＳＯ感度値の表示領域である。ここでは、絞り優先モード（Ａｖ）で、シャッター秒時が「１／１２５」、絞り値「８．０」、露出補正値は「０（無）」、ＩＳＯ感度は自動設定（ＡＵＴＯ）を表している。
【００３８】
図４（ｂ）は（ａ）同様のカメラ動作状態にて、図３（ａ）の設定時、即ち、サブダイヤル２０３の操作のみを無効に設定した状態で、メインスイッチ２０４が図２（ｃ）の位置、つまり「ＯＮ／ＬＯＣＫ」位置２０６での操作無効の警告表示の例である。
【００３９】
前述した様に、サブダイヤル２０３は自動の露出設定モードである絞り優先モード時は露出補正値を設定する機能を担う。従って、この状態で実際にサブダイヤル２０３が操作された場合には、図４（ｂ）の様に露出補正値の表示領域４０４に操作無効である事を示す「ＬＯＣＫ」が一定の時間だけ表示される。本実施例では、５００ｍｓだけ表示する、としている。なお、この表示については、表示時間の変更のみならず、点灯表示でなく点滅表示するなどしても良く、更に点滅のサイクルにも工夫の余地はある。勿論、カラー表示装置ならば使用者により目立つ様、通常とは異なった色で表示するのも良い。
【００４０】
同様に、図４（ｃ）は撮影露出モードがマニュアルモード（Ｍ）時の標準表示状態の一例を表している。この例では、ＩＳＯ感度は４００である。そして、マニュアル（手動）露出設定モードなので、露出補正という操作自体に意味がないので、露出補正値の表示領域４０４には前記（ａ）での表示は必要無く、無表示となっている。
【００４１】
図４（ｄ）は（ｃ）同様のカメラ動作状態にて、図３（ｂ）の設定時の例である。即ち、サブダイヤル２０３の操作のみならず、メインダイヤル２０１とマルチコントローラー２０２も無効に設定した状態で、メインスイッチ２０４が図２（ｃ）に示した「ＯＮ／ＬＯＣＫ」位置２０６での操作無効表示の例である。
【００４２】
前述した様に、マニュアル（手動）露出設定モードでは、メインダイヤル２０１がシャッター秒時の設定を、サブダイヤル２０３が撮影光学系の絞り値を設定する機能となる。従って、この状態で実際にメインダイヤル２０１とサブダイヤル２０３が操作された場合には、図４（ｄ）の様にシャッター秒時の表示領域４０１と絞り値の表示領域４０２に（ｂ）と同様に一定の時間だけ操作無効である事を示す「ＬＯＣＫ」が表示される。この際、メインダイヤル２０１だけが操作されると、メインダイヤル２０１の機能の情報を表示するシャッター秒時の表示領域４０１だけに「ＬＯＣＫ」と表示する。サブダイヤル２０３だけが操作されると、サブダイヤル２０３の機能の情報を表示する絞り値の表示領域４０２だけに「ＬＯＣＫ」と表示する。このようにすることで、ユーザーが操作した無効に設定されている操作部材で、現在どの機能が実行できないのかをユーザに認識させることができる。なお、無効に設定された複数の操作部材のうち何れか１つが操作された際に、操作されていない操作部材も含めて無効に設定されている操作部材の機能の情報を表示する領域で「ＬＯＣＫ」と表示しても良い。このようにすることで、ユーザーは機能の実行が無効とされている全ての操作部材及びその機能を知ることができる。
【００４３】
図５は、以上説明してきた操作無効である「ＬＯＣＫ」を、その時点の動作モードでの機能に応じた表示領域に一定の時間だけ表示する本実施例の動作フローの説明図である。ここでは一例として、サブダイヤル２０３がロック状態で操作無効とする対象と設定されていた場合の、サブダイヤル２０３の動作について説明する。このフローはマイクロコンピュータ１２３にて制御、実施される動作フローである。
【００４４】
サブダイヤル２０３が操作され、その状態の変化がマイクロコンピュータ１２３に伝えられると、Ｓ５００にてその操作に対する動作フローが開始する。
【００４５】
Ｓ５０１にて、まず現在のカメラの動作判定が行われる。動作判定とは、カメラが撮影する動作状態にあるか、あるいは各種設定を行うメニュー動作状態であるかの判定である。メニュー動作状態において、本実施例はメインスイッチ２０４の位置が「ＯＦＦ」位置２０５以外なら常にサブダイヤル２０３の操作を有効にしている。これは「ＯＮ／ＬＯＣＫ」位置２０６を設けたのは「意図しない時に誤操作されない様にする為」であり、サブダイヤル２０３で各設定項目を選択するという点で、各種設定をするメニュー画面では常に操作できた方が使用者にとっては便利との判断による。この考え方は、メインダイヤル２０１、マルチコントローラー２０２に対しても、各設定項目を選択する操作部材という点で同じである。
【００４６】
Ｓ５０１にて「撮影動作」中と判断されたなら、続くＳ５０２で今のサブダイヤル２０３の操作が有効か無効かを判定する。具体的にはメインスイッチ２０４の位置が「ＯＮ／ＬＯＣＫ」位置２０６（ロック状態）か「ＯＮ」位置２０７（非ロック状態）かを、マイクロコンピュータ１２３が判断する。
【００４７】
Ｓ５０２にてロック状態、即ちメインスイッチ２０４の位置が「ＯＮ／ＬＯＣＫ」位置２０６であったならば、Ｓ５０３にて現在のカメラの露出設定モードの判定を行う。具体的には、図２（ａ）のモードダイヤル２０８の設定状態をマイクロコンピュータ１２３が判断する。ここでは、自動設定モード、即ち、シャッター優先モード（Ｔｖ優先）、絞り優先モード（Ａｖ優先）およびプログラムモード（Ｐ）であるか、あるいは手動（Ｍ：マニュアル）露出設定モードであるかの判定のみを行う。これは先述した様に、本実施例でのサブダイヤル２０３が、上記露出の自動設定モードでは使用者の好みに応じた露出補正値を設定する機能を、マニュアル（手動）露出設定モードでは撮影光学系の絞り値を設定する機能を担うからである。これで、操作無効である事を示す「ＬＯＣＫ」表示をどこに行うかが判断される。
【００４８】
Ｓ５０３にて現在のカメラの露出設定モードが自動設定モードであったならば、続くＳ５０４にて操作無効を示す「ＬＯＣＫ」表示を行う領域として、露出補正値の表示領域４０４が選択される。一方、Ｓ５０３にて現在のカメラの露出設定モードが手動設定モードであったならば、Ｓ５０５にて絞り値（Ａｖ）の表示領域４０２が選択される。そして、Ｓ５０６で、上記選択されたそれぞれの表示領域に対して、操作無効を示す「ＬＯＣＫ」表示を開始する（表示制御）。
【００４９】
先述した様に本実施例では、「ＬＯＣＫ」表示を５００ｍｓだけ表示するとしている。そこでまず、Ｓ５０７にて、タイマー（カウンター）の初期設定を５００ｍｓで初期化する。
続くＳ５０８で、上記タイマーにて５００ｍｓが経過したかどうかの判定を行う。５００ｍｓ経過未満であったならば、使用したタイマーの設定に従い、Ｓ５０９でタイマーの値を１サイクル分カウントダウンする。その後、再びＳ５０８に戻り、上記タイマーにて５００ｍｓが経過したかどうかの判定を行う。
【００５０】
Ｓ５０８にて、上記タイマーにて５００ｍｓが経過したと判定されたならば、Ｓ５１０にて操作無効を示す「ＬＯＣＫ」表示を終了する。
【００５１】
一方、Ｓ５０１にて、現在のカメラ動作がメニュー動作状態であった、または、Ｓ５０２にて現在のサブダイヤル２０３の操作が有効、即ち、メインスイッチ２０４が「ＯＮ」位置２０７であった場合は、Ｓ５１１に移行する。そして、Ｓ５１１で、本来のサブダイヤル２０３の操作に応じた動作が、例えば、サブダイヤル２０３のクリック量に応じた設定値の遷移が実施される。
【００５２】
他方、上記説明した図５のフローに従えば、操作無効を示す「ＬＯＣＫ」表示をする場合には、Ｓ５１１の様な動作は一切行われず、まさしく「操作無効」が実現されている。
【００５３】
以上説明した様に本実施例では、各操作部材が無効に設定されていながらその操作がされた時、カメラの動作状態での前記操作部材に対する機能の表示領域に一定の時間だけ操作無効である事を表示する。従って、例えば同じサブダイヤル２０３で無効な操作がされた場合でも、操作無効を示す警告である「ＬＯＣＫ」表示が露出補正値の表示領域４０４で表示されたり、絞り値の表示領域４０２で表示されたりする。使用者にとっては、それぞれのカメラ動作状態で設定するつもりであった機能に応じた表示領域に、実際に無効な操作をした場合にだけ操作無効である表示が出る事になり、とても分かりやすい表示となる。
【００５４】
（実施例２）
以下、図６、７を参照して、本発明の第２の実施例による操作無効表示例について説明する。
【００５５】
図６は上記実施例１で説明した外部液晶モニタ１１８での操作無効表示に対し、外部液晶表示部材１２８とファインダ内液晶表示部材１２９での操作無効表示の例である。
【００５６】
実施例１で説明した外部液晶モニタ１１８での操作無効表示は、通常、外部液晶モニタ１１８がドットマトリックス液晶であるので、字体や色などで自由な表現が出来る。一方、外部液晶表示部材１２８とファインダ内液晶表示部材１２９は８セグメントで代表される固定の表示領域となる制約が伴う。従って、これらに対しては、８セグメントの表示領域を利用した「ＬＯＣＫ」の「Ｌ」という表示のみにする。本実施例でも「Ｌ」を表示する領域は、ある機能の表示を担う表示領域であるため、「Ｌ」の表示は無効な操作がされた時のみ行い、操作無効の設定がある状態で常に「Ｌ」を表示する様な事はしない。
【００５７】
図６（ａ）は外部液晶表示部材１２８での表示例である。ここでは、シャッター秒時表示領域の１つの８セグメントで「Ｌ」を表示している。また、図６（ｂ）はファインダ内液晶表示部材１２９での表示例である。同様に、シャッター秒時表示領域の１つの８セグメントで「Ｌ」を表示している。本実施例では、外部液晶表示部材１２８とファインダ内液晶表示部材１２９での操作無効表示を、表示内容および表示領域、表示領域での表示位置もカメラ動作状態に関わらず常に同じとしている。理由は、外部液晶モニタ１１８とは異なり、露出補正値の表示領域が固定の表示しか出来ない為である。無効操作がされた場合、使用者に対し上記２つの液晶表示部材では常に同じ警告表示をすることで、混乱を招く事が無い様にしている。
【００５８】
図７は以上説明してきた操作無効である「Ｌ」を特定の表示領域に一定の時間だけ表示する本実施例の動作フローの説明図である。ここでも実施例１同様に、サブダイヤル２０３の動作について説明する。このフローもマイクロコンピュータ１２３にて制御、実施される動作フローである。
【００５９】
サブダイヤル２０３が操作され、その状態の変化がマイクロコンピュータ１２３に伝えられると、Ｓ７００にてその操作に対する動作フローが開始する。
【００６０】
Ｓ７０１にて、まず現在のカメラの動作状態が、撮影する動作状態にあるか、あるいは各種設定を行うメニュー動作状態であるかの判定を行う。メニュー動作状態においては、本実施例でもメインスイッチ２０４の位置が「ＯＦＦ」位置２０５以外なら常にサブダイヤル２０３の操作を有効にしている。
【００６１】
Ｓ７０１にて「撮影動作」中と判断されたなら、続くＳ７０２で今のサブダイヤル２０３の操作が有効か無効かを判定する。
【００６２】
Ｓ７０２にて操作無効中ならば、Ｓ７０３でシャッター秒時表示領域であるＴｖ表示領域において、操作無効を示す「Ｌ」表示を開始する。
【００６３】
本実施例でも、「Ｌ」表示を５００ｍｓだけ表示する。そこでＳ７０４にて、タイマー（カウンター）の初期設定を５００ｍｓで初期化する。
【００６４】
続くＳ７０５で、上記タイマーにて５００ｍｓが経過したかどうかの判定を行う。５００ｍｓ経過未満であったならば、使用したタイマーの設定に従い、Ｓ７０６でタイマーの値を１サイクル分カウントダウンする。その後、再びＳ７０５に戻り、上記タイマーにて５００ｍｓが経過したかどうかの判定を行う。
【００６５】
Ｓ７０５にて、上記タイマーにて５００ｍｓが経過したと判定されたならば、Ｓ７０７にて操作無効を示す「Ｌ」表示を終了する。
【００６６】
一方、Ｓ７０１にて、現在のカメラ動作がメニュー動作状態、または、Ｓ７０２にて現在のサブダイヤル２０３の操作が有効であった場合は、Ｓ７０８に移行して、本来のサブダイヤル２０３の操作に応じた動作が実施される。
【００６７】
一方、上記図７のフローに従えば、操作無効を示す「Ｌ」表示をする場合には、Ｓ７０８の様な動作は一切行わずに「操作無効」を実現する。
【００６８】
以上、本発明の好ましい実施形態について説明したが、本発明はこれらの実施形態に限定されず、その要旨の範囲内で種々の変形及び変更が可能である。
【００６９】
なお、マイクロコンピュータ１２３の制御は１つのハードウェアが行ってもよいし、複数のハードウェアが処理を分担することで、装置全体の制御を行ってもよい。
【００７０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７１】
また、上述した実施形態においては、本発明を一眼レフのデジタルカメラに適用した場合を例にして説明したが、これはこの例に限定されず、操作部材の有効と無効を切り換えられる撮像装置であれば適用可能である。例えば、デジタルスチルカメラ、デジタルビデオカメラ、フィルムカメラなどにも適用可能である。また、本願は撮像装置に限らず、操作部材の無効と有効を切り換えられる装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００７２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005828650.tif 000002
【図２】
0005828650.tif 000003
【図３】
0005828650.tif 000004
【図４】
0005828650.tif 000005
【図５】
0005828650.tif 000006
【図６】
0005828650.tif 000007
【図７】
0005828650.tif 000008